(57)【要約】      （修正有）【課題】機能の種類を問わず構成部材を可及的に共通化して、現場での機能の決定あるいは機能の変更が可能で、一部のメンテナンスも容易にできるパネル構造体を提供する。【解決手段】両側の支柱１ａ，１ｂ間に化粧材１３を備えてなるパネル構造体Ｐにおいて、（ａ）両側の縦連結部材１１の間に複数個の水平な帯状のベース材１２を平行に配設して化粧材支持体１０を構成し、（ｂ）化粧材支持体の各ベース材に化粧材を当該ベース材を被覆する状態で着脱自在に取り付けてパネル単体２を構成し、（ｃ）そのパネル単体を１個又は複数個前記両側の支柱間に設けて、その支柱の対向面間に取り付けた下枠３ａと上枠３ｂとで前記パネル単体を前記支柱に固定した。【選択図】図２
2010255383.tif 000002
【特許請求の範囲】
【請求項１】
両側の支柱間に化粧材を備えてなるパネル構造体において、
両側の縦連結部材の間に複数個の水平な帯状のベース材を平行に配設して化粧材支持体を構成し、
前記化粧材支持体の各ベース材の片面又は両面に前記化粧材を当該ベース材を被覆する状態で着脱自在に取り付けてパネル単体を構成し、
そのパネル単体を１個又は複数個前記両側の支柱間に設け、その支柱の対向面間に取り付けた下枠と上枠とで前記パネル単体を前記支柱に固定したことを特徴とするパネル構造体。
【請求項２】
請求項１に記載のパネル構造体において、ベース材を化粧材支持体の高さ方向に隙間を開けて配設し、各ベース材の片面又は両面に化粧材を、各化粧材間にベース材間の隙間と連通する隙間を開けて固着したことを特徴とするパネル構造体。
【請求項３】
請求項２に記載のパネル構造体において、化粧材は金属板とタイルの１種類又は複数種類であることを特徴とするパネル構造体。
【請求項４】
化粧材は、その背面に形成された係止溝にベース材の表面に前記係止溝の間隔と等しい間隔で形成された係止縁を係合させ、その化粧材をベース材に保持されていることを特徴とする請求項２又は３に記載のパネル構造体。
【請求項５】
請求項１ないし４に記載のパネル構造体において、ベース材の上端面と下端面の一方又は双方を傾斜面にしたことを特徴とするパネル構造体。
【請求項６】
請求項１に記載のパネル構造体において、ベース材を化粧材支持体の高さ方向に隙間を開けずに配設し、上側のベース材の下端部と下側のベース材の上端部とにそれぞれ嵌合する嵌合部と被嵌合部とを設けたことを特徴とするパネル構造体。
【請求項７】
化粧材は、その化粧材をベース材に固着するビスを隠蔽するカバー部を含むことを特徴とする請求項１−６のいずれか１項に記載のパネル構造体。
【発明の詳細な説明】
【技術分野】
【０００１】
本発明は、主として門袖、塀、仕切壁等の外構用のパネル構造体に関する。
【背景技術】
【０００２】
門袖、塀、仕切壁等の外構には、目隠し、通風、遮光、採光、装飾などの一つ又は複数の機能を有する各種のものがある。そして、これらの外構の多くは、通常、現場施工により製造されているが、近年、工場で生産し現場に搬送して設置するパネル構造体が提案されている。
【先行技術文献】
【特許文献】
【０００３】
【特許文献１】特開２００２−２７６１２１号公報
【特許文献２】実開平５−７３１９７号公報
【発明の概要】
【発明が解決しようとする課題】
【０００４】
しかしながら、提案に係るパネル構造体は、有する機能によりそれぞれ構成部材が異なる（共通性が無い）ので、購入者の求める機能毎に構成部材の異なるパネル構造体を生産する必要がある。また、生産時に採用が決定された機能を果たすための構造を備えて設置されると、その後のメンテナンスを構成部材の一部のみに対して行うことが容易でないとともに、既設の機能を他の機能に変更することは到底できない。
【０００５】
例えば、通風機能を有するパネル構造体はフレームの中にルーバーブレードを一定の間隔をもって配設され、タイルによる装飾機能を有するパネル構造体は下地材にタイルを貼ってあり、また、塗り壁による装飾機能を有するパネル構造体は壁下地材に壁塗りをしてあるから、それぞれが一方から他方に変更することはできない。
【０００６】
本発明は、上記の事情に鑑みてなされたものであり、機能の種類を問わず構成部材を可及的に共通化して、現場での機能の決定あるいは機能の変更が可能で、一部のメンテナンスも容易にできるパネル構造体を提供することを目的とする。
【課題を解決するための手段】
【０００７】
上記目的を達成するため、本発明は、両側の支柱間に化粧材を備えてなるパネル構造体において、（ａ）両側の縦連結部材の間に複数個の水平な帯状のベース材を平行に配設して化粧材支持体を構成し、（ｂ）前記化粧材支持体の各ベース材の片面又は両面に前記化粧材を当該ベース材を被覆する状態で着脱自在に取り付けてパネル単体を構成し、（ｃ）そのパネル単体を１個又は複数個前記両側の支柱間に設けて、その支柱の対向面間に取り付けた下枠と上枠とで前記パネル単体を前記支柱に固定したことを特徴としている（請求項１）。
【０００８】
本発明は、上記パネル構造体において、ベース材を化粧材支持体の高さ方向に隙間を開けて配設し、各ベース材の片面又は両面に化粧材を、各化粧材間にベース材間の隙間と連通する隙間を開けて固着したことを特徴としている（請求項２）。
【０００９】
また、本発明は、上記パネル構造体において、化粧材が金属板とタイルの１種類又は複数種類であることを特徴としている（請求項３）。
【００１０】
さらに、本発明は、化粧材の背面に形成された係止溝にベース材の表面に形成された係止縁を係合させて、その化粧材をベース材に保持していることを特徴としている（請求項４）。
【００１１】
さらに、本発明は、ベース材間に隙間が設けられる場合の化粧材支持体のベース材の上端面と下端面の一方又は双方が傾斜面に形成されていることを特徴としている（請求項５）。
【００１２】
さらに、本発明は、上記パネル構造体において、ベース材を化粧材支持体の高さ方向に隙間を開けずに配設し、上側のベース材の下端部と下側のベース材の上端部とにそれぞれ嵌合する嵌合部と被嵌合部とを設けたことを特徴としている（請求項６）。
【００１３】
さらに、本発明は、化粧材がその化粧材をベース材に固着するビスを隠蔽するカバー部を含むことを特徴としている（請求項７）。
【発明の効果】
【００１４】
請求項１の発明によれば、化粧材支持体は、各種の化粧材の支持のために共通に使用される。従って、化粧材の種類が金属板、タイル又はそれらの組合わせのいずれであっても、共通の化粧材支持体を用いて、通風機能のあるパネル構造体、タイルによる装飾機能を有するパネル構造体を提供することができる。また、機能の種類を生産時に決定しても、現場施工時、メンテナンス時などに任意に変更することもできる。
【００１５】
請求項２の発明によれば、ベース材は化粧材支持体の高さ方向に隙間を開けて配設され、各ベース材の片面又は両面に化粧材が、各化粧材間にベース材間の隙間と連通する隙間を開けて固着されるので、通風機能、目隠し機能、採光機能を有するパネル構造体を提供するとができる。
【００１６】
請求項３の発明によれば、化粧材が金属板とタイルの１種類又は複数種類であるので、求めに応じた機能又は求めに応じた機能と装飾性を有するパネル構造体を容易に提供することができる。
【００１７】
請求項４の発明によれば、化粧材の背面に形成された係止溝にベース材の表面に形成された係止縁を係合させて、その化粧材をベース材に保持しているので、化粧材の装着及び取り外しが容易にできる。また、別の取付部材を必要としない。従って、製造コストの低減効果が得られる。
【００１８】
請求項５の発明によれば、ベース材間に隙間が設けられる場合の化粧材支持体のベース材の上端面と下端面の一方又は双方が傾斜面に形成されているので、通風機能及び目隠し機能あるいはさらに採光機能に優れる。
【００１９】
請求項６の発明によれば、ベース材を化粧材支持体の高さ方向に隙間を開けずに配設し、上側のベース材の下端部と下側のベース材の上端部とにそれぞれ嵌合する嵌合部と被嵌合部とを設けたので、化粧材同士の振動接触による騒音発生が無く、パネル単体の耐風圧強度も大きくなる。
【００２０】
請求項７の発明によれば、化粧材がその化粧材をベース材に固着するビスを隠蔽するカバー部を含むので、金属板を化粧材支持体に固着するビスが外観に露見しないため、外観体裁に優れたパネル構造体を提供することができる。
【図面の簡単な説明】
【００２１】
【図１】本発明の一実施の形態に係るパネル構造体の正面図である。
【図２】本発明に係るパネル構造体の基本的構成要素を示す分解斜視図である。
【図３】主としてベース材の形状の一例を示す化粧材支持体の一部縦断面図である。
【図４】パネル構造体の組立順序を説明する図である。
【図５】下枠と下固定金具の斜視図である。
【図６】下固定金具による支柱と下枠と化粧材支持体との接続を示す断面図である。
【図７】上下の化粧材支持体の支柱に対する連結手段の一例を示す図であり、（ａ）は中間固定金具の斜視図、（ｂ）はその中間固定金具により化粧材支持体を支柱に固定した状態を示す縦断面図、（ｃ）は（ｂ）の平面図である。
【図８】上枠と上固定金具の斜視図である。
【図９】図１のＡ−Ａ線断面図である。
【図１０】図１のＢ−Ｂ線断面図である。
【図１１】化粧材がタイルである場合のパネル構造体の図９に対応する断面図である。
【図１２】化粧材がタイルである場合のパネル構造体の図１０に対応する断面図である。
【図１３】化粧材に金属板とタイルを用いた場合のパネル構造体の断面図である。
【図１４】ベース材の他の形状の一例を示す断面図である。
【図１５】ベース材のさらに他の変化例を示す断面図である。
【図１６】さらに他の形態のパネル構造体を示す断面図である。
【図１７】図１のＣ−Ｃ線断面図である。
【図１８】図１のＤ−Ｄ線断面図である。
【図１９】塗り壁用化粧材支持体の展開図であり、（ａ）は正面図、（ｂ）は平面図、（ｃ）は縦断面図である。
【図２０】片面にタイル張り、他面に塗り壁を備える場合の化粧材支持体の展開図であり、（ａ）は正面図、（ｂ）は平面図、（ｃ）は縦断面図である。
【発明を実施するための形態】
【００２２】
次に、本発明の実施形態に付いて図面を参照しながら説明する。
本発明に係るパネル構造体Ｐは、基本的には、図２に示すように、少なくとも、地面に所定の間隔をもって立設される左右の支柱１ａ，１ｂと、その支柱１ａ，１ｂの間に取り付けられる１個又は複数個のパネル単体２と、そのパネル単体２をその下辺と上辺において両側の支柱１ａ，１ｂに固定する下枠３ａ及び上枠３ｂとからなっている。
【００２３】
支柱１ａ，１ｂは同一の断面矩形の中空形材で形成されている。パネル単体２は、図２の例では、隣り合う支柱１ａ，１ｂの間に２個取り付けられているが、３個以上としても良く、２個の高さと等しい高さの１個のみとしてもよい。
【００２４】
パネル単体２は、化粧材支持体１０の表と裏のいずれか片面又は両面に後述される化粧材１３を着脱自在に取り付けて構成されている。
【００２５】
化粧材支持体１０は、図２，３に示すように、左右両側の縦連結部材１１，１１の間に複数個の水平な帯状のベース材１２，…を平行に配設し、縦連結部材１１，１１の互いに反対側からビスｂ１を各ベース材に形成されているビスホール１２ｋにねじ込む周知の接続技術により、縦連結部材１１，１１とベース材１２，…を連結して構成されている。
【００２６】
ベース材１２は、図３に一例を示すように、正面壁１２ａ、背面壁１２ｂ、上面壁１２ｃ、下面壁１２ｄを有する帯状の中空形材で形成され、上端面１２ｃと下端面１２ｄがほぼ同一の右肩上がり勾配を有し、正面壁１２ａと背面壁１２ｂの下端部と中間位置にそれぞれ係止縁１２ｅ，１２ｆ；１２ｇ，１２ｈが突設されており、上端部の正面側と背面側にそれぞれ正面と背面に開口する溝１２ｉ，１２ｊを有している。係止縁１２ｅ，１２ｆ；１２ｇ，１２ｈは、後述するように、化粧材１３を取り付けるためのものであり、溝１２ｉ，１２ｊは、後述するように、化粧材取付後にカバー１４を取り付けるためのものである。また、上面壁１２ｃと下面壁１２ｄには、ベース材１２を縦連結部材１１にビスｂ１で接続するためのビスホール１２ｋが設けられている。
【００２７】
パネル構造体Ｐを設置するには、図４に示すように、先ず設置現場の地面Ｇに両側の支柱１ａ，１ｂを所定間隔を持って立設し（図４（ａ））、その支柱１ａ，１ｂの対向面の所定位置に断面コ字形の細い長尺形材からなるチリ隠し部材１５をスタータとして固着して位置出しを行い、次に、支柱１ａ，１ｂの対向面の所定の高さに下枠３ａをそのスタータ１５に当接して所定位置に固定する（図４（ａ））。下枠３ａは、図５に示すように、角筒状に形成されている。下枠３ａを固定するには、下固定金具１６Ａの挿入部１６ａを下枠３ａの中空部１７の端部に挿入し、下枠３ａの外側からビスｂ２（図６）を下枠３ａの孔１８に貫通し、挿入部１６ａの側面のねじ孔１９ａにねじ込むことにより堅牢に接続する。下固定金具１６Ａの挿入部１６ａの正面から起立する連結片１６ｂは、高さ方向中間位置から上側部分が下枠３ａの中央側に変位している。そして、挿入部１６ａの正面及び連結片１６ｂの下半部が支柱１ａの対向面に当接され、連結片１６ｂの孔１９ｂに貫通されるビスｂ３により固着される（図４（ｂ））。
【００２８】
そして、支柱１ａ，１ｂ間に固定された下枠３ａの上側に最初の化粧材支持体１０が嵌合され、両側の縦連結部材１１の側面に開口する溝１１ａの下端部に下固定金具１６Ａの連結片１６ｂを挿入し、化粧支持体１０を固定する（図４（ｃ））。
【００２９】
図２に示すように、支柱１ａ，１ｂの高さ方向に複数個の化粧材支持体１０が取り付けられる場合は、図７に示すように、上下対称形に成形された中間固定金具１６Ｂの下半部１６ｃを下側の化粧材支持体１０の縦連結部材１１の側面に開口する溝１１ａの上端部に挿入すると共に、その中間固定金具１６Ｂの中間部１６ｄをその中間部１６ｄに形成された孔１６ｇを貫通したビスｂ４で支柱１ａ，１ｂの対向面に固着し、続いて、上側の化粧材支持体１０の縦連結部材１１の溝１１ａに中間連結金具１６Ｂの上半部１６ｅを挿入することにより上下の化粧材支持体１０，１０を連結する（図４（ｄ））。中間固定金具１６Ｂの中間部１６ｄの両側に突出する突起１６ｆは、中間固定金具１６Ｂの下半部１６ｃを下側の化粧材支持体１０の縦連結部材１１の溝１１ａの上端部に挿入したときに、その突起１６ｆが縦連結部材１１の上端面に係止して、中間固定金具１６Ｂが溝１１ａ内に落ち込むことを防止するために設けられている。
【００３０】
こうして、最初の化粧材支持体１０の上側に他の化粧材支持体１０の下端部を中間固定金具１６Ｂにより連結した後は、その上側の化粧材支持体１０の上側に上枠３ｂを載せ、その上枠３ｂの長手方向両端部を支柱１ａ，１ｂの対向面に固着する（図４（ｅ））。この固着には、図８に示された上固定金具１６Ｃを用いる。
【００３１】
上固定金具１６Ｃは、下固定金具１６Ａと近似の形状を有する。すなわち、図８に示すように、上固定金具１６Ｃは、平面コ字形の挿入部１６ｈと、その挿入部から下方に延長する垂下部１６ｉを有し、垂下部の上半部には側方に突出する係止片１６ｊを有する。垂下部１６ｊの下半部は上枠３ｂの中央側に変位している。そして、上固定金具１６Ｃは、垂下部１６ｉを最上位の化粧材支持体１０の縦連結部材の側面に開口する溝１１ａの上端部に挿入し、係止片１６ｊを縦連結部材の上端面に係止させた状態で挿入部１６ｈの正面の孔１９ｂからビスを支柱１ａ又は１ｂにねじ込んで固定する。左右の上固定金具１６Ｃを固定した後、支柱１ａ，１ｂ間において上枠３ｂを水平状態にしたまま下降し、その上枠の下面壁の幅方向両端に形成してあるスリット３ｂ１に上固定金具１６Ｃの挿入部１６ｈの両側片を挿入し、その両側片の上端面を上枠３ｃの上端面に当てて止める。そして、上枠の側面に設けてある孔１８からビス（不図示）を挿入部１６ｈの両側面に設けているねじ孔１９ａにねじ込んで上枠３ｂを支柱１ａ，１ｂ間に固定する。
【００３２】
上記のようにして、支柱１ａ，１ｂの間に１個又は複数個の化粧材支持体１０を固定した後、好ましくは、スタータ１５と反対側にスタータと同構成部材からなるチリ隠し部材１５’を取り付ける（図４（ｆ））。そして、各化粧材支持体１０のベース材１２の表面と裏面の一方又は双方に、後述のようにして化粧材１３を取り付けて、パネル単体２を構成する（図４（ｇ））。
【００３３】
図９及び図１０は図４（ｇ）の化粧材１３として裏面に開口する長尺アルミニウム形材で形成されている金属板１３Ａを用いるパネル単体２ｄにおける金属板１３Ａのベース材１２に対する取付例を示す。すなわち、金属板１３Ａは、下端部にベース材１２の下側の係止縁１２ｅ又は１２ｆに係止される被係止縁１３１を、上端部にベース材１２の正面壁又は裏面壁にビスｂ５により接続される端縁１３２を有している。また、被係止縁１３１と端縁１３２との間の中間部１３３には、パネル構造体の正面又は背面に任意の装飾性を具備するための任意の形状、例えば、図示の例のように単純な平面又は波面その他の押出成形により得られる凹凸面を備えることができる。
【００３４】
そして、図９の右側の金属板１３Ａは、被係止縁１３１を先にベース材１２の下側係止縁１２ｅに係止した後、端縁１３２をビスｂ５により正面壁１２ａに固着して取り付けられる。図９の左側の金属板１３Ａは、同様にして、被係止縁１３１を先にベース材１２の下側係止縁１２ｆに係止した後、端縁１３２をビスｂ５により裏面壁１２ｂに固着して取り付けられる。以後、最上位のベース材まで、上側のベース材１２…に順次他の金属板１３Ａが同様にして取り付けられる。そして、一つの金属板を取り付けるたびに、又は、一つの化粧材支持体１０に全ての金属板を取り付けた後に、各ベース材の溝１２ｉ，１２ｊにビスｂ５を隠蔽するためのカバー１４を嵌着して、パネル構造体Ｐ３におけるパネル単体２ｄの外観体裁を向上させている。なお、ベース材１２に対する金属板１３Ａの取付順序は任意である。
【００３５】
なお、図９の下枠３ａは、下枠３ａの意匠性向上を図るとともに、下枠の機械的強度アップを図るため、一例として角筒状の本体３ａ１の正面側と背面側に断面略角Ｓ字形の付加部材３ａ２を嵌合とビスｂ６により固着し、その付加部材３ａ２の開口に蓋部材３ａ３を嵌着して、下枠３ａと下固定金具１６Ａを結合するビスｂ２の露出する頭とビスｂ６を隠蔽すると共に、外観が角筒状に見えるように構成してある。
【００３６】
図１０の上枠３ｂは、下枠３ａと同様に、本体３ｂ１、付加部材３ｂ２及び蓋部材３ｂ３とを有して、下枠３ａとほぼ同様に構成されているが、図示の好ましい実施の形態においては、本体３ｂ１の下部の厚みを薄くすることにより断面逆凸字形に形成されて、その本体３ｂ１の正面側と背面側に固着された断面略角Ｓ字形の付加部材３ｂ２の下端部と本体３ｂの下部との間に上枠直下のベース材１２の正面側の溝１２ｉ及びカバー１４の一部が飲み込まれるように構成してある。
【００３７】
図９，１０に示す例では、ベース材１２同士が上下方向に平行状態で等間隔に離間してあり、また、ベース材１２の上面壁１２ｃと下面壁１２ｄの正面側半分が上り勾配を有するため、各化粧材１３Ａの間に通風可能な隙間Ｃが形成されている。すなわち、この例のパネル構造体Ｐ３は、装飾機能と通風機能を有し、しかも、その隙間が傾斜しているため、目隠し機能をも有している。
【００３８】
図１１は、図２の化粧材１３として、例えばレンガ調のタイル又は通常のタイルと同様の外観を有するセラミック製又は樹脂製のタイル１３Ｂを化粧材支持体１０に支持させてなるパネル単体２ｅを取付けたパネル構造体Ｐ４の図９に対応する断面図であり、図１２は同じく図１０に対応する断面図である。図１のパネル構造体Ｐ１，Ｐ２のパネル単体２ａ，２ｂは、上記パネル単体２ｅと同一構成である。タイル１３Ｂは横帯状に形成されたものであって、それを化粧材支持体１０に支持させて上下方向に接続してパネル単体２ｅを構成しても良いし、横帯状のタイルを複数枚連続させた面積を有するものを１個又は複数個を化粧材支持体１０に支持させてパネル単体２ｅを構成しても良い。
【００３９】
タイル１３Ｂは、背面側の上下にベース材１２の上下の係止縁１２ｇ，１２ｅ；１２ｈ，１２ｆと係合する溝１３４ａ，１３４ｂを有している。これにより、タイル１３Ｂの背面の各溝１３４ａ，１３４ｂにベース材１２の上下の係止縁１２ｇ，１２ｅ；１２ｈ，１２ｆを係合させて保持するとともに、そのタイル１３Ｂの上面とベース材１２の溝１２ｉ，１２ｊの底壁との間に例えば板ばねからなるクリップ２０を嵌着して、タイル１３Ｂの脱落を防止している。
この実施の形態においても、上面壁１２ｃと下面壁１２ｄ上面壁と下面壁に勾配を有するベース材１２同士の間に隙間を設けることにより、通風機能を備えている。
【００４０】
一つのパネル単体に装着される化粧材１３は、単一種類に限定されるものではなく、図１３に例示するように、金属板１３Ａとタイル１３Ｂとを任意の順序で取り付けることもできる。
また、タイルの他の例として、タイル１３５の多孔性表面にコケ植物又は地衣類等１３６を繁殖させて又は貼り付けたものを、例えばアルミ形材製の支持部材１３７の表面側に取り付けて緑化タイル１３Ｂ´を構成し、その緑化タイル１３Ｂ´を金属板１３Ａと同様の取付方法により、あるいはタイル１３Ｂと同様の取付方法により化粧材支持体１０に取り付けることもできる。コケ植物又は地衣類等１３６に代えて、又はこれに加えて人口芝を貼り付けても良い。
【００４１】
図１１，１２のタイル１３Ｂを図１３の緑化タイル１３Ｂ´で置換して、緑化パネル構造体とすることもできる。
【００４２】
上述したパネル構造体Ｐ１〜Ｐ５は、いずれもベース材１２の上下面に斜めの隙間Ｃを備えたものであるが、図１４に示すように、ベース材１２の上下面を水平として、各化粧材１３Ａの間に通風性を有し、かつ、一部透視可能な隙間Ｃ´を備えることもできる。さらに、図１５に例示するように、ベース材１２同士の間に隙間Ｃを設けると共に、ベース材の上面に裏面から正面方向に上り傾斜する斜面を有するカバー２１を嵌着すると、騒音の出ない円滑な通風が可能であると共に、隙間Ｃに入射する太陽光がパネル構造体を透過する方向に反射されるため、優れた採光機能が得られる。さらに、傾斜面によって排水性が向上する。
【００４３】
通風性も透光性も望まれない場合は、図１６に例示するように、ベース材１２´の上下面を水平にするとともに、各ベース材の上下面を当接させた状態で縦連結部材１１に固定することにより、目隠し機能と遮音機能を有するパネル構造体Ｐ８を作ることができる。
【００４４】
なお、図１６に示すように、一つのベース材１２に複数の化粧材１３Ｂ，…を取り付けるように構成することもできる。また、各ベース材の上面壁と下面壁の一方に突条１２１を、他方にその突条が嵌合し得る凹条１２２を設けることにより、ベース材１２´を順次突条１２１と凹条１２２を嵌合させながら縦連結部材１１に固定して、ベース材同士が相互補強する堅牢なパネル構造体Ｐ８を提供することができる。
【００４５】
上述の例では、支柱間に固定された化粧材支持体１０に化粧材１３を取付けたが、化粧材を先に化粧材支持体１０に取付け、その化粧材支持体１０を支柱間に固定することもできる。
【００４６】
図１の２ｃは、本発明によるパネル構造体を構成するパネル単体２ｂの上側に設けられたルーバーパネルである。このルーバーパネル２ｃは、図１７，１８に示すように、左右の縦桟２２の間に複数個のルーバーボード２３を水平状態で上下方向に等間隔ずつ離間して接続し、左右の縦桟２２の上端部間と下端部間に上桟２４と下桟２５を懸架接続してなっている。そして、ルーバーパネル２ｃをパネル単体２ｂから上方に延長された縦連結部材１１の間に嵌合し、ルーバーパネル２ｃの下桟２５を、パネル単体２ｂの上端部を支柱１ｂ，１ｃに固定するための上枠３ｂ’の上面にビスｂ７により取り付けた固定部材２６に接続し、ルーバーパネル２ｃの上桟２４をパネル単体２ａの下端を支柱１ａ，１ｂに固定するための下枠３ａと同一構成の部材３ａ’を上枠とし、その上枠３ａ’を支柱１ｂ，１ｃの対向面に図８に示された下固定金具１６Ａを用いて固定し、その上枠３ａ’の下面に固定部材２６と同一構成の固定部材２７を固着し、その固定部材２６，２７の正面側からビスｂ８をルーバーパネル２ｃの上、下端部に設けられた上、下桟２４，２５にねじ込んでルーバーパネル２ｃを取り付けてある。
上記の上枠３ｂ，３ａ´、下枠３ａ，３ｃの形状構造は、単なる一例である。
【００４７】
図１９は、化粧材支持体１０のベース材１２の両面に化粧材の代わりに壁下地材２８を取り付けたタイル用化粧材支持体１０Ａの一例を示す。その壁下地材２８に漆くい等を塗り付けて、塗り壁を備えたパネル構造体を作ることができる。
図２０は、化粧材支持体１０のベース材１２の片面には壁下地材２８を、他面にはベース材の係止縁を露出させた塗り壁・タイル用化粧材支持体１０Ｂを示す。この塗り壁・タイル用化粧材支持体１０Ｂを用いて、片面に塗り壁を備え、他面にタイル張りをしたパネル構造体を作ることができる。
また、図３のベース材１２自体の正面壁１２ａと背面壁１２の一方又は双方を、係止縁１２ｅ，１２ｆ，１２ｇ，１２ｈ及び溝１２ｉ，１２ｊを有しない平坦面として、そのベース材を壁下地材として使用し、前記平坦面に漆くい等を塗り付けて、塗り壁を備えたパネル構造体を提供することもできる。
【産業上の利用可能性】
【００４８】
本発明に係るパネル構造体は、外構用に限らず、間仕切り壁に適用することができる。
【符号の説明】
【００４９】
Ｐ１〜Ｐ８    パネル構造体
１ａ，１ｂ，１ｃ    支柱
２ａ〜２ｉ          パネル単体
３ａ，３ｃ          下枠
３ｂ，３ａ´        上枠
１０                化粧材支持体
１１                縦連結部材
１２                ベース材
１３                化粧材
１３Ａ              金属板
１３Ｂ              タイル
１３Ｂ´            緑化タイル
【図１】
2010255383.tif 000003
【図２】
2010255383.tif 000004
【図３】
2010255383.tif 000005
【図４】
2010255383.tif 000006
【図５】
2010255383.tif 000007
【図６】
2010255383.tif 000008
【図７】
2010255383.tif 000009
【図８】
2010255383.tif 000010
【図９】
2010255383.tif 000011
【図１０】
2010255383.tif 000012
【図１１】
2010255383.tif 000013
【図１２】
2010255383.tif 000014
【図１３】
2010255383.tif 000015
【図１４】
2010255383.tif 000016
【図１５】
2010255383.tif 000017
【図１６】
2010255383.tif 000018
【図１７】
2010255383.tif 000019
【図１８】
2010255383.tif 000020
【図１９】
2010255383.tif 000021
【図２０】
2010255383.tif 000022